(57)【要約】【課題】従来の液体吸収体によれば、液体吸収材の切り口端面を除く外面が熱可塑性不織布シートで拘束された構成のため、液体吸収効率が悪い。【解決手段】液体吸収体１は、液体吸収素材２が圧縮されて塊状に形成され、液体吸収素材２が塊状の外面５から液体を吸収した場合に液体吸収素材２の塊状の外面５が拘束されずに外側に膨張可能に構成されたことを特徴とする。また、圧縮された互いに隣接する液体吸収素材２が結合剤３により互いに接着された構成とした。また、液体吸収素材２及び結合剤３として化学物質を含有しない材料を用いた。【選択図】図１
2007319773.tif 000002
【特許請求の範囲】
【請求項１】
液体吸収素材が圧縮されて塊状に形成され、液体吸収素材が塊状の外面から液体を吸収した場合に液体吸収素材の塊状の外面が拘束されずに外側に膨張可能に構成されたことを特徴とする液体吸収体。
【請求項２】
圧縮された互いに隣接する液体吸収素材が結合剤により互いに接着されたことを特徴とする請求項１に記載の液体吸収体。
【請求項３】
液体吸収素材及び結合剤が化学物質を含有しない材料であることを特徴とする請求項１又は請求項２に記載の液体吸収体。
【発明の詳細な説明】
【技術分野】
【０００１】
本発明は、液体吸収効率の良い液体吸収体に関する。
【背景技術】
【０００２】
圧縮されて板状に形成された液体吸収材と、液体吸収材の切り口端面を除く外面に熱圧着された熱可塑性不織布シートとを備えた液体吸収体が知られている。
【特許文献１】特開平９−２７１４８７号公報
【発明の開示】
【発明が解決しようとする課題】
【０００３】
しかしながら、従来の液体吸収体によれば、液体吸収材の切り口端面を除く外面が熱可塑性不織布シートで拘束された構成のため、液体吸収材が液体を吸収する場合に、液体吸収材の外側への膨張が熱可塑性不織布シートにより妨げられて、液体吸収材の液体吸収可能量が少なくなり、液体吸収効率が悪いという課題があった。
【課題を解決するための手段】
【０００４】
本発明による液体吸収体は、液体吸収素材が圧縮されて塊状に形成され、液体吸収素材が塊状の外面から液体を吸収した場合に液体吸収素材の塊状の外面が拘束されずに外側に膨張可能に構成されたことを特徴とする。
圧縮された互いに隣接する液体吸収素材が結合剤により互いに接着されたことも特徴とする。
液体吸収素材及び結合剤が化学物質を含有しない材料であることも特徴とする。
【発明の効果】
【０００５】
本発明の液体吸収体は、液体吸収素材が圧縮されて塊状に形成され、液体吸収素材が塊状の外面から液体を吸収した場合に液体吸収素材の塊状の外面が拘束されずに外側に膨張可能に構成されたので、多くの液体を吸収でき、液体吸収効率が良い。
圧縮された互いに隣接する液体吸収素材が結合剤により互いに接着された構成の液体吸収体としたことで、液体吸収体が液体を吸収した場合において、結合剤が、液体吸収体の極端な大型化や、液体吸収体の極端な形状の崩れを防止し、液体吸収体の液体吸収後の形状を小さく維持するので、液体吸収後の後始末の容易な液体吸収体を得ることができる。
液体吸収素材及び結合剤として化学物質を含有しない材料を用いたことにより、液体吸収後にそのまま水洗トイレに流すことができ、焼却しても有害ガスが発生せず、埋めた場合も生分解される液体吸収体を得ることができる。つまり、廃棄処理の容易な液体吸収体を得ることができる。
【発明を実施するための最良の形態】
【０００６】
図１及び図２は本発明の最良の形態を示し、図１は液体吸収体を示し、図２は液体吸収体の製造工程を示す。
【０００７】
図１を参照し、液体吸収体の構造を説明する。
液体吸収体１は、化学物質を含有しない材料に形成された液体吸収素材２と化学物質を含有しない材料に形成された結合剤３とが混合された混合材料４が圧縮されて塊状に形成されたものである。塊状に圧縮形成された液体吸収体１は、圧縮された互いに隣接する液体吸収素材２が結合剤３により互いに接着され、圧縮された液体吸収素材２が、液体吸収体１のすべての外面５から液体を吸収可能であり、圧縮された液体吸収素材２が液体を吸収した場合には、塊状の外面５が拘束されずに仮想線Ｘで示すように外側に膨張可能に構成される。
【０００８】
結合剤３としては、例えば、でんぷんから得られる乳酸を原料とした生分解性材料により形成された結合剤や、でんぷん糊のような結合剤を使用する。
液体吸収素材２としては、例えば、和紙やトイレットペーパのような紙を用いる。
【０００９】
図２を参照し、液体吸収体１の製造方法を説明する。予め決められた量の液体吸収素材２と予め決められた量の結合剤３とを混合機１１により混合して混合材料４を作り、この混合材料４を成形機１２に投入し、混合材料４を成形機１２により圧縮成形加工することにより、例えば、縦寸法ａ１＝５００ｍｍ、横寸法ｂ１＝６００ｍｍ、厚さ寸法ｄ１＝５ｍｍ程度の板状の液体吸収体基盤１５を得る。そして、切断機１６によって、液体吸収体基盤１５を、例えば、縦寸法ａ２＝９０ｍｍ、横寸法ｂ２＝５５ｍｍ程度の大きさに分割切断することにより、名刺大程度の大きさの薄板状の液体吸収体１を複数得ることができる。
【００１０】
液体吸収体１は、被服のポケットやカバンなどに入れることができ、携帯が容易である。
液体吸収体１は、すべての外面５から液体を吸収可能な構成なので、多くの液体を吸収でき、液体吸収効率が良い。例えば、外出先などで、犬や猫などのペットが洩らした尿や、子供がコップを転倒させてこぼしたジュースなどの液体を液体吸収体１に吸収させることができる。
【００１１】
液体吸収体１は、圧縮された互いに隣接する液体吸収素材２が結合剤３により互いに接着されて形成されたので、圧縮された液体吸収素材２が液体を吸収した場合に、結合剤３が、液体吸収体１の形状を維持する。即ち、液体の吸収によって液体吸収素材２は膨張するが、圧縮された互いに隣接する液体吸収素材２同士は結合剤３により結合されているので、結合剤３が、液体吸収体１の巨大化、及び、液体吸収体１の形状崩れを防止する。つまり、液体吸収体１は、圧縮された互いに隣接する液体吸収素材２が結合剤３により互いに接着されているため、液体を吸収した場合において、極端に大型化したり、極端に形状を崩したりすることがなく、液体吸収後の形状を小さく維持できるので、液体吸収後の後始末の容易な液体吸収体１を得ることができる。
【００１２】
液体吸収体１は、化学物質を含有しない液体吸収素材２及び結合剤３が圧縮されて形成されたので、液体を吸収した液体吸収体１をそのまま水洗トイレに流すことができる。液体吸収体１は、焼却しても有害ガスが発生せず、埋めた場合も生分解される。つまり、廃棄処理の容易な液体吸収体１を得ることができる。
【００１３】
さらに、液体吸収体１を構成する液体吸収素材２として和紙やトイレットペーパのような紙を用いたことにより、液体吸収体１の材料費を安くできるとともに液体吸収体１の軽量化が図れる。
【産業上の利用可能性】
【００１４】
結合剤３を用いずに、液体吸収素材２のみが塊状に圧縮されて形成された液体吸収体としてもよい。つまり、結合剤３を用いない構成であっても、液体吸収素材２が圧縮されて塊状に形成され、液体吸収素材２が塊状の外面から液体を吸収した場合に液体吸収素材２の塊状の外面が拘束されずに外側に膨張可能な構成とすれば、多くの液体を吸収でき、液体吸収効率の良い液体吸収体を得ることができる。
化学物質を含有した結合剤や液体吸収素材を用いて液体吸収体を形成してもよい。例えば、液体吸収素材として、合成樹脂製の不織布、ティッシュペーパ、キッチンタオルタオル、布などを用いたり、結合剤として、合成樹脂材料により形成されたものを用いてもよい。このような結合剤及び液体吸収素材により形成された液体吸収体であっても、液体吸収素材が圧縮されて塊状に形成され、液体吸収素材が塊状の外面から液体を吸収した場合に液体吸収素材の塊状の外面が拘束されずに外側に膨張可能で、かつ、圧縮された互いに隣接する液体吸収素材が結合剤により互いに接着された構成とすることで、多くの液体を吸収でき、液体吸収効率が良く、しかも、液体を吸収した場合において、液体吸収後の形状を小さく維持できて、液体吸収後の後始末の容易な液体吸収体を得ることができる。
尚、成人の掌に納まる程度の形状や大きさの液体吸収体とすれば携帯に便利である。
【図面の簡単な説明】
【００１５】
【図１】液体吸収体を示す斜視図（最良の形態）。
【図２】液体吸収体の製造工程を示す図（最良の形態）。
【符号の説明】
【００１６】
１  液体吸収体、２  液体吸収素材、３  結合剤、５  外面。
【図１】
2007319773.tif 000003
【図２】
2007319773.tif 000004